(57)【要約】音楽メッセージコンテンツを提供するコンピュータ実装システムが開示される。システムは、少なくとも１つの音楽テーマおよび宛先ｅメールアドレスまたは電話番号を指定するリクエストを受け取り得る。システムは、次いでテーマに関連付けられる音楽記録のデータベースから少なくとも１つの適切な音楽記録を選択し、指定の宛先に選択された音楽記録を提供する。リクエストデバイスおよび／または受信デバイスは、電話、セルラー電話、スマートフォン、ＰＤＡ、ｅメール可能デバイス、および／またはウェブ可能デバイスであり得る。テーマのカテゴリは、感情と、関係と、特別な出来事と、職業と、宗教と、音楽とに関係し得る。
2012516656.tif 000002
【特許請求の範囲】
【請求項１】
音楽メッセージコンテンツを提供するための製造品であって、該製造品は、
コンピュータの動作を指示することが可能であるソフトウェアを含む媒体を含み、該ソフトウェアは、該コンピュータに、
リクエストソースからリクエストを受け取らせることであって、該リクエストは、少なくとも１つのテーマのカテゴリおよび受信宛先を指定し、該少なくとも１つのテーマのカテゴリは、選択可能なテーマのカテゴリの群から選択される、ことと、
データベースから、該指定された少なくとも１つのテーマのカテゴリに関連付けられる音楽記録を選択させることであって、該データベースは、複数の音楽記録を含み、各音楽記録は、該選択可能なテーマのカテゴリのうちの少なくとも１つに関連付けられる、ことと、
該選択された音楽記録を該指定された受信宛先に提供させることと
を行わせる、製造品。
【請求項２】
前記リクエストソースは、
コンピュータと、
電話と、
パーソナルデジタルアシスタントと、
スマートフォンと、
テキストメッセージを送信することが可能であるデバイスと、
インターネットをブラウズすることが可能であるデバイスと
のうちの少なくとも１つである、請求項１に記載の製造品。
【請求項３】
前記受信宛先は、
コンピュータと、
電話と、
パーソナルデジタルアシスタントと、
スマートフォンと、
インターネットをブラウズすることが可能であるデバイスと
のうちの少なくとも１つである、請求項１に記載の製造品。
【請求項４】
前記リクエストを受け取ることと、前記音楽記録を提供することとのうちの少なくとも１つは、
有線電話と、
無線電話と、
ネットワーク通信と、
インターネットを介する通信と
のうちの少なくとも１つを用いる通信を含む、請求項１に記載の製造品。
【請求項５】
前記製造品は、選択可能なテーマのカテゴリに関連付けられる複数の音楽記録を含む前記データベースを含む媒体をさらに含む、請求項１に記載の製造品。
【請求項６】
前記ソフトウェアは、前記コンピュータに、前記音楽記録と協働して前記受信デバイスに送信されるためのメッセージを指定する前記リクエストデバイスから入力を受け取らせることが可能である、請求項１に記載の製造品。
【請求項７】
前記メッセージは、
テキストと、
視覚イメージと、
視覚アニメーションと
のうちの少なくとも１つを含む、請求項６に記載の製造品。
【請求項８】
前記ソフトウェアは、前記コンピュータに、前記メッセージの指定を容易にし得るユーザインタフェースを提供させることが可能である、請求項６に記載の製造品。
【請求項９】
前記ソフトウェアは、前記コンピュータに、前記指定された少なくとも１つのテーマのカテゴリに関連付けられる候補の音楽記録の群から前記音楽記録の選択を容易にし得るユーザインタフェースを提供させることが可能である、請求項１に記載の製造品。
【請求項１０】
前記データベースにおける複数の音楽記録が、前記少なくとも１つのテーマのカテゴリに関連付けられる場合に、前記ソフトウェアは、前記コンピュータに、前記複数の音楽記録の中から１つの音楽記録をランダムに選択させ、そして前記指定された受信宛先に該１つの音楽記録を提供させることが可能である、請求項１に記載の製造品。
【請求項１１】
前記選択可能なテーマのカテゴリの群は、
感情と、
関係と、
特別な出来事と、
職業と、
宗教と、
音楽と
のうちの少なくとも１つに関連するカテゴリを含む、請求項１に記載の製造品。
【請求項１２】
前記ソフトウェアは、前記コンピュータに、ユーザから前記選択可能なテーマのカテゴリのうちの少なくとも１つに関連付けられる音楽記録を受け取らせ、該受け取られた音楽記録を前記データベースに追加させることが可能である、請求項１に記載の製造品。
【請求項１３】
前記ユーザは、前記データベースに加えられる前記受け取られた音楽記録を指定し得、該受け取られた音楽記録は、
該ユーザによる選択のみに対する利用可能であることと、
全ユーザによる選択に対する概ね利用可能であることと
のうちの１つである、請求項１２に記載の製造品。
【請求項１４】
音楽メッセージコンテンツを提供するための装置であって、該装置は、
音楽記録のデータベースへのアクセスを有するコンピュータを含み、各音楽記録は、選択可能なテーマのカテゴリの群のうちの１つに関連付けられ、該コンピュータは、
リクエストソースからリクエストを受け取ることであって、該リクエストは、少なくとも１つのテーマのカテゴリおよび受信宛先を指定し、該少なくとも１つのテーマのカテゴリは、選択可能なテーマのカテゴリの群から選択される、ことと、
該データベースから、該指定された少なくとも１つのテーマのカテゴリに関連付けられる音楽記録を選択することと、
該選択された音楽記録を該指定された受信宛先に提供することと
が可能である、装置。
【請求項１５】
前記リクエストソースと、前記受信宛先とのうちの少なくとも１つは、
コンピュータと、
電話と、
パーソナルデジタルアシスタントと、
スマートフォンと、
テキストメッセージを送信することが可能であるデバイスと、
インターネットをブラウズすることが可能であるデバイスと
のうちの少なくとも１つである、請求項１４に記載の装置。
【請求項１６】
前記コンピュータは、前記音楽記録と協働して前記受信デバイスに送信されるためのメッセージを指定するリクエストデバイスから入力を受け取ることが可能である、請求項１３に記載の装置。
【請求項１７】
前記メッセージは、
テキストと、
視覚イメージと、
視覚アニメーションと
のうちの少なくとも１つを含む、請求項１６に記載の装置。
【請求項１８】
前記コンピュータは、前記指定された少なくとも１つのテーマのカテゴリに関連付けられる候補の音楽記録の群から前記音楽記録の選択を容易にし得るユーザインタフェースを提供することが可能である、請求項１３に記載の装置。
【請求項１９】
前記選択可能なテーマのカテゴリの群は、
感情と、
関係と、
特別な出来事と、
職業と、
宗教と、
音楽と
のうちの少なくとも１つに関連するカテゴリを含む、請求項１３に記載の装置。
【請求項２０】
前記コンピュータは、ユーザから前記選択可能なテーマのカテゴリのうちの少なくとも１つに関連付けられる音楽記録を受け取り、該受け取られた音楽記録を前記データベースに加えることが可能である、請求項１３に記載の装置。
【発明の詳細な説明】
【技術分野】
【０００１】
（発明の分野）
本発明は、概して、メッセージを作成し、送達することに関し、より具体的には、音声成分を有するメッセージを作成し、送達することに関する。
【背景技術】
【０００２】
（発明の背景）
ほとんどのコミュニケーションは、言葉を用いて達成される。しかしながら、言葉は、感情の内容を伝達するのにしばしば不適当であるか、または少なくとも非効率的である。人におけるコミュニケーションの場合、顔の表情は、しばしば言葉だけではうまく伝えられない感情的ニュアンスを伝える。しかしながら、誰かにメッセージを送る場合、おそらくいわゆる「顔文字」の制限された形式を除いて、顔の表情を含めることは通常可能ではない。
【０００３】
声の抑揚もまた、例えば電話メッセージまたはｅメールに添付の記録されたボイスメッセージにおいて、メッセージの感情の内容を高めるために用いられ得る。しかしながら、メッセージの送信者は、特にその人達が個人的でありかつ／または強く感情を抱いている場合、声の抑揚が感情およびフィーリングを伝えるのに望ましくないかまたは十分な手段ではないと感じ得る。
【０００４】
感情の内容を伝達するのに最も強力な手段の１つは、音楽を介してである。この理由により、ほとんどの映画およびテレビショーは、提供される娯楽の感情のインパクトを増加させ、視聴者の感情移入を増加させるように音楽をふんだんに利用する。選曲（ｍｕｓｉｃａｌ  ｓｅｌｅｃｔｉｏｎ）を自動的に行う小さなデバイスが、一部のグリーティングカードに含められさえする。
【０００５】
音楽記録は、例えば電話によってメッセージとして伝達され得るか、またはｅメールおよび電話「ＳＭＳ」テキストメッセージなどのテキストベースメッセージに添付され得る。顧客の選んだ選曲をｅメールおよび他のメッセージに顧客が添付するのを助けるサービスは利用可能である。しかしながら、このアプローチは、選曲を選び準備するというほとんどまたはすべての重荷をメッセージ発信者に負わせる。メッセージに添付するための特別注文の音楽記録を構成し作成するサービスもまた利用可能であるが、これはもちろん労働集約的であり、従って非常に費用がかかる。
【０００６】
音楽記録を含む電子グリーティングカードは公知である。最も適切なメッセージを選択することを容易にするように、電子グリーティングカードは、しばしば、「ごめんなさい」もしくは「愛」、「友人」「娘」もしくは「母」などの関係、または「誕生日」「記念日」などの特別な出来事などの感情的テーマに従って編成される。しかしながら、電子グリーティングカードを送る場合、メッセージ発信者は、通常、そのようなカードの限定された選択品の中から視覚および音楽の組合せを含むカードを選択しなければならない。また、電子グリーティングカードは、電話メッセージまたはテキスト通信にあまり適していない。
【発明の概要】
【課題を解決するための手段】
【０００７】
（本発明の要約）
コンピュータ実装システムが請求される。コンピュータ実装システムは、少なくとも１つの指定されたテーマのカテゴリに関連付けられる音楽記録に対するリクエストを受け取り得、さまざまなテーマのカテゴリに関連付けられる複数の音楽記録を含むデータベースから適切な音楽記録を選択し得、そして選択された音楽記録をリクエストにおいて指定された受信器に提供し得る。リクエストデバイスおよび／または受信デバイスは、コンピュータ、電話、パーソナルデジタルアシスタント、スマートフォン、テキストメッセージを送信することが可能であるデバイス、および／またはインターネットをブラウズすることが可能であるデバイスであり得る。テーマのカテゴリは、感情、関係、特別な出来事、職業、宗教、および音楽等に関連し得る。
【０００８】
望ましい実施形態において、本発明は、音楽記録と協働してメッセージを送達するが可能であり、メッセージの指定を容易にすることが可能であるユーザインタフェースを提供し得る。データベースが、指定された１つのテーマのカテゴリまたは複数のテーマのカテゴリに適する２つ以上の候補の選曲を含む場合に、ユーザインタフェースは、候補の音楽記録のうちの１つの選択を容易にするように提供され得、または音楽記録のうちの１つは、コンピュータによってランダムで選ばれ得る。さらなる好ましい実施形態において、ユーザの提出された音楽記録は、データベースに加えられ得る。
【０００９】
本発明の１つの一般的な局面は、音楽メッセージコンテンツを提供するための製造品である。製造品は、コンピュータの動作を指示することが可能であるソフトウェアを含む媒体を含み、ソフトウェアは、コンピュータに、リクエストソースからリクエストを受け取らせ、リクエストは、少なくとも１つのテーマのカテゴリおよび宛先を指定し、少なくとも１つのテーマのカテゴリは、選択可能なテーマのカテゴリの群から選択される。ソフトウェアはさらに、コンピュータに、データベースから、指定された少なくとも１つのテーマのカテゴリに関連付けられる音楽記録を選択させるように、コンピュータの動作を指示することが可能であり、データベースは、複数の音楽記録を含み、各音楽記録は、選択可能なテーマのカテゴリのうちの少なくとも１つに関連付けられる。加えて、ソフトウェアは、コンピュータに、選択された音楽記録を指定された受信宛先に提供させるように、コンピュータの動作を指示することが可能である。
【００１０】
好ましい実施形態において、リクエストソースは、コンピュータ、電話、パーソナルデジタルアシスタント、スマートフォン、テキストメッセージを送信することが可能であるデバイス、および／またはインターネットをブラウズすることが可能であるデバイスである。
【００１１】
他の実施形態において、受信宛先は、コンピュータ、電話、パーソナルデジタルアシスタント、スマートフォン、テキストメッセージを送信することが可能であるデバイス、および／またはインターネットをブラウズすることが可能であるデバイスである。
【００１２】
ある好ましい実施形態において、リクエストを受け取ることおよび／または音楽記録を提供することは、有線電話、無線電話、ネットワーク通信、および／またはインターネットを介する通信を用いる通信を含む。
【００１３】
さまざまな好ましい実施形態において、本発明は、選択可能なテーマのカテゴリに関連付けられる複数の音楽記録を含むデータベースを含む媒体をさらに含む。
【００１４】
いくつかの好ましい実施形態において、ソフトウェアは、コンピュータに、音楽記録と協働して受信デバイスに送信されるためのメッセージを指定するリクエストデバイスから入力を受け取らせることが可能である。これらの実施形態のうちのいくつかにおいて、メッセージは、テキスト、視覚イメージ、および／または視覚アニメーションを含む。これらの実施形態のうちの他において、ソフトウェアは、コンピュータに、メッセージの指定を容易にし得るユーザインタフェースを提供させることが可能である。
【００１５】
好ましい実施形態において、ソフトウェアは、コンピュータに、指定された少なくとも１つのテーマのカテゴリに関連付けられる候補の音楽記録の群から音楽記録の選択を容易にし得るユーザインタフェースを提供させることが可能である。
【００１６】
いくつかの好ましい実施形態において、データベースにおける複数の音楽記録が、少なくとも１つのテーマのカテゴリに関連付けられる場合に、ソフトウェアは、コンピュータに、複数の音楽記録の中から１つの音楽記録をランダムに選択させ、そして指定された受信宛先に１つの音楽記録を提供させることが可能である。
【００１７】
さまざまな好ましい実施形態において、選択可能なテーマのカテゴリの群は、感情、関係、特別な出来事、職業、宗教、および／または音楽を含む。
【００１８】
ある好ましい実施形態において、ソフトウェアは、コンピュータに、ユーザから選択可能なテーマのカテゴリのうちの少なくとも１つに関連付けられる音楽記録を受け取らせ、受け取られた音楽記録をデータベースに追加させることが可能である。これらの実施形態のうちのいくつかにおいて、ユーザは、データベースに加えられ、受け取られた音楽記録を指定し得、受け取られた音楽記録は、ユーザによる選択のみに対する利用可能であり、または全ユーザによる選択に対する概ね利用可能である。
【００１９】
本発明のもう１つの一般的な局面において、音楽メッセージコンテンツを提供するための装置である。装置は、音楽記録のデータベースへのアクセスを有するコンピュータを含み、各音楽記録は、選択可能なテーマのカテゴリの群のうちの１つに関連付けられる。コンピュータは、リクエストソースからリクエストを受け取ることであって、リクエストは、少なくとも１つのテーマのカテゴリおよび受信宛先を指定し、少なくとも１つのテーマのカテゴリは、選択可能なテーマのカテゴリの群から選択される、ことと、データベースから、指定された少なくとも１つのテーマのカテゴリに関連付けられる音楽記録を選択することと、選択された音楽記録を指定された受信宛先に提供することとが可能である。
【００２０】
好ましい実施形態において、リクエストソースおよび／または受信宛先は、コンピュータ、電話、パーソナルデジタルアシスタント、スマートフォン、テキストメッセージを送信することが可能であるデバイス、および／またはインターネットをブラウズすることが可能であるデバイスである。いくつかの好ましい実施形態において、複数の音楽記録を含むデータベースは、コンピュータ上に常駐である。
【００２１】
さまざまな好ましい実施形態において、コンピュータは、音楽記録と協働して受信デバイスに送信されるためのメッセージを指定するリクエストデバイスから入力を受け取ることが可能である。これらの好ましい実施形態のうちのいくつかにおいて、メッセージは、テキスト、視覚イメージ、および／または視覚アニメーションを含む。
【００２２】
ある好ましい実施形態において、コンピュータは、指定された少なくとも１つのテーマのカテゴリに関連付けられる候補の音楽記録の群から音楽記録の選択を容易にし得るユーザインタフェースを提供することが可能である。
【００２３】
他の好ましい実施形態において、選択可能なテーマのカテゴリの群は、感情、関係、特別な出来事、職業、宗教、および／または音楽を含む。
【００２４】
いくつかの好ましい実施形態において、コンピュータは、ユーザから選択可能なテーマのカテゴリのうちの少なくとも１つに関連付けられる音楽記録を受け取り、受け取られた音楽記録をデータベースに加えることが可能である。
【００２５】
本発明は、以下の図に関連して、詳細な説明を参照することによってより十分に理解される。
【図面の簡単な説明】
【００２６】
【図１Ａ】図１Ａは、基本的実施形態における本発明の要素およびそれらの協働的相互関係を例示するブロック図である。
【図１Ｂ】図１Ｂは、特定の実施形態の図であり、その特定の実施形態において、リクエストソースはインターネットを介してリクエストを提出するパーソナルコンピュータであり、受信宛先は無線電話技術によって音楽記録を受信するセルラー電話である。
【図２Ａ】図２Ａは、音楽記録を送るリクエストを発信するようにユーザに案内する好ましい実施形態のユーザインタフェース表示画面の図である。
【図２Ｂ】図２Ｂは、音楽記録のテーマを選択するようにユーザに案内する好ましい実施形態のユーザインタフェース表示画面の図である。
【図２Ｃ】図２Ｃは、音楽記録を選択するようにユーザに案内する好ましい実施形態のユーザインタフェース表示画面の図である。
【図２Ｄ】図２Ｄは、選択された音楽記録の詳細を検討し音楽記録をプレビューするようにユーザに案内する好ましい実施形態のユーザインタフェース表示画面の図である。
【図２Ｅ】図２Ｅは、選択された音楽記録に添付するテキストメッセージを構成するようにユーザに案内する好ましい実施形態のユーザインタフェース表示画面の図である。
【図２Ｆ】図２Ｆは、選択された音楽記録に添付する画像またはビデオクリップをアップロードするようにユーザに案内する好ましい実施形態のユーザインタフェース表示画面の図である。
【図２Ｇ】図２Ｇは、選択された音楽記録の少なくとも一人の受信者を指定するようにユーザに案内する好ましい実施形態のユーザインタフェース表示画面の図である。
【図２Ｈ】図２Ｈは、音楽記録のデータベースのプライベートセクションまたはパブリックセクションのいずれかに追加されるべき音楽記録をアップロードするようにユーザに案内する好ましい実施形態のユーザインタフェース表示画面の図である。
【発明を実施するための形態】
【００２７】
（好ましい実施形態の詳細な説明）
本発明は、音楽メッセージコンテンツを提供するシステムである。様々な実施形態において、システムは、音楽メッセージコンテンツを提供するようにコンピュータを制御することが可能なソフトウェアを含む媒体か、または音楽メッセージコンテンツを提供することが可能なコンピュータを含む装置のいずれかである。いずれの場合においても、図１を参照すると、コンピュータ１００は、リクエストソース１０４からリクエスト１０２を受信することが可能であり、リクエストソース１０４は、音楽記録に関連付けられるべき少なくとも１つのテーマのカテゴリ１０６を指定し、ｅメールアドレス、電話番号、および／または音楽記録が送達されるべき宛先デバイス１０８を識別する他の情報をさらに指定する。様々な実施形態において、リクエストソース１０４および宛先デバイス１０８の各々は、コンピュータ、電話、パーソナルデジタルアシスタント、スマートフォン、テキストメッセージを送ることが可能なデバイス、および／またはインターネットをブラウズすることが可能であるデバイスであり得る。
【００２８】
一旦リクエスト１０２がリクエストソース１０４から受信されると、コンピュータ１００はデータベース１１０と通信し、データベース１１０は、コンピュータ１００に位置を定められ得るか、またはコンピュータ１００が通信する異なるコンピューティングデバイスに位置を定められ得る。データベース１１０は、音楽記録のライブラリを含み、音楽記録の各々は、「愛」、「友情」、「記念日」、「ごめんなさい」、およびそのような類似のものなどの少なくとも１つのテーマのカテゴリに関連付けられる。コンピュータ１００は、実施形態に従って、指定されたテーマのカテゴリ（単数または複数）１０６に関連付けられる少なくとも１つの音楽記録をデータベース１１０から得て、音楽記録のうちの１つを無作為に選ぶかまたは音楽記録のユーザ選択を可能にするユーザインタフェースを提供するかのいずれかである。いずれの場合においても、選択された音楽記録１１２は、次いで指定された受信宛先１１４に送達される。
【００２９】
一例が図１Ｂに提示され、ここで、送信個人１１６は、パーソナルコンピュータ１０４を用いて、インターネットを介して本発明のコンピュータ１００にリクエスト１０２を送信する。リクエスト１０２は、送信個人１１６が「友情」１０６のテーマを示す選曲を友人１１８のセルラー電話番号である指定の電話番号１０８に送りたいと思っていることを示す。音楽記録１１２は次いで友人１１８に送達され、友人１１８は指定のセルラー電話１１４を用いて音楽記録１１２を聴く。
【００３０】
図２Ａ〜図２Ｆは、本発明の好ましい実施形態においてリクエストの生成を容易にするユーザインタフェースウィンドウ２０２を表示するコンピュータディスプレイ２００を例示する。図２Ａにおいて、ユーザは、リクエストを送るプロセスを開始するように案内される。図２Ｂにおいて、ユーザは、音楽記録によって通信されるテーマ２０４を選択するように案内される。同様な実施形態において、ユーザは、できるだけ多くの指定されたテーマのカテゴリに関連付けられる音楽記録を選択するように、２つ以上のテーマのカテゴリを選択することが可能である。テーマのカテゴリは、友情、恋愛、および同情などの感情と、誕生日、記念日、および卒業などの特別な出来事と、医者、弁護士、および秘書などの職業と、宗教的テーマと、クラシック、ポピュラー音楽、およびジャズなどの音楽カテゴリとに関係し得る。
【００３１】
図２Ｃにおいて、少なくとも１つのテーマのカテゴリを選択した後に、ユーザは、そのテーマのカテゴリに関連付けられる音響記録のリスト２０６が提示される。図２Ｄにおいて、音響記録のうちの１つが選択され、選択に関する詳細２０８が表示される。類似の実施形態において、テーマに関連付けられる音響記録２０６のうちの１つは、ソフトウェアによって無作為に選択される。
【００３２】
図２Ｄの実施形態において、ユーザは、音響記録２１０を指定の宛先に送ることが可能であるか、または、例えば、メッセージがマルチメディア「ＭＭＳ」メッセージとしてセルラー電話に送達されるかまたは添付画像および音響記録を有するｅメールとして送達される場合、ユーザは、テキスト２１２もしくは画像２１４を追加して選んで、音響記録に添付し得る。
【００３３】
図２Ｅにおいて、ユーザは、テキストメッセージ２１６を構成して、音響記録に添付するように案内される。テキストメッセージを入力後、ユーザは、メッセージ２１８を送るかまたは画像または動画２２０を追加するかのいずれかを選び得る。ユーザが画像または動画を追加することを選んだ場合、図２Ｆに例示される画面が表示される。ユーザは、次いで画像または動画２２２のファイル名を入力するかまたはファイル２２４を見つけるためにブラウズし得る。同様の実施形態において、メッセージがカメラ内蔵のセルラー電話を用いて発信された場合、セルラー電話は、画像を撮り、それをメッセージに添付するために用いられ得る。完成したメッセージは、次いでプレビューされ得２２６、送られ得る２１８。
【００３４】
図２Ｇは、好ましい実施形態において任意の添付のメッセージ、画像および／または動画と一緒になった音響記録の受信者を指定するために用いられ得る画面を例示する。少なくとも１つのｅメールアドレスまたは電話番号が指定される２２８。複数の受信者が所望され、画面に十分なスペースがない場合、より多くの受信者を追加するように追加の画面が起動され得る２３０。メッセージは、次いで受信者に送られる２１８。
【００３５】
図２Ｈは、ユーザが音響記録をデータベースに追加することを可能にするように、いくつかの好ましい実施形態のユーザインタフェースに含まれる画面を例示する。音響記録２３２に関する情報が入力され、音楽記録のファイル名は、タイプ入力され得る２３４か、またはブラウジング２３６によって見つけられ得る。図２Ｈの実施形態において、ユーザは、音響記録を、すべてのユーザ２３８に利用可能な一般データベースに追加し得るか、またはアップロードしたユーザ２４０にのみ利用可能なプライベートライブラリに追加し得かのいずれかである。
【００３６】
他の修正および実装は、特許請求される本発明の精神および範囲から逸脱することなく、当業者の心に浮かぶ。従って、上記の説明は、以下の特許請求の範囲に示されることを除いて、本発明を限定することは意図されない。
【図１Ａ】
2012516656.tif 000003
【図１Ｂ】
2012516656.tif 000004
【図２Ａ】
2012516656.tif 000005
【図２Ｂ】
2012516656.tif 000006
【図２Ｃ】
2012516656.tif 000007
【図２Ｄ】
2012516656.tif 000008
【図２Ｅ】
2012516656.tif 000009
【図２Ｆ】
2012516656.tif 000010
【図２Ｇ】
2012516656.tif 000011
【図２Ｈ】
2012516656.tif 000012
【国際調査報告】
2012516656.tif 000013
2012516656.tif 000014